(57)【要約】【課題】本発明の課題は、建築板の表面に傾斜等を与えることなく立体的外観を付与することにある。【解決手段】板表面に縦横目地溝２Ｂ，３Ｂによって画定されている凸ブロック４の複数個を縦横に配設したブロック調模様を有する建築板１において、該凸ブロック４の全部または一部のもの４Ａの一方の側辺に沿う縦目地溝２Ａと上辺または下辺に沿う横目地溝３Ａの巾を他方の側辺に沿う縦目地溝２Ｂと下辺または上辺に沿う横目地溝３Ｂの巾よりも広くする。このようにすると該凸ブロック４Ａは見る方向によって浮き上って見えたり、沈み込んで見えたりして、板上面は平坦のまゝでも効果的な立体感のある外観を呈する。【選択図】　図１
2004052261.tif 000002
【特許請求の範囲】
【請求項１】
板表面に縦横目地溝によって画定されている凸ブロックの複数個を縦横に配設したブロック調模様を有する建築板において、該凸ブロックの全部または一部のものゝ一方の側辺に沿う縦目地溝と上辺または下辺に沿う横目地溝の巾を他方の側辺に沿う縦目地溝と下辺または上辺に沿う横目地溝の巾よりも広くしたことを特徴とする建築板
【請求項２】
該凸ブロックは平行四辺形である請求項１に記載の建築板
【請求項３】
該建築板の最上段の平行四辺形の凸ブロックの配置と、最下段の平行四辺形の凸ブロックの配置とが一致するように設定され、該建築板の一対を上下に接続した時、上側の建築板の最下段の平行四辺形凸ブロックと下側の建築板の最上段の平行四辺形凸ブロックとが合わさって、一つの平行四辺形凸ブロックが形成されるようにした請求項１または２に記載の建築板
【請求項４】
該建築板の最右列の所定箇所には右部分切欠き平行四辺形凸ブロックを配置し、最左列にはそれに対応した位置に左部分切欠き平行四辺形凸ブロックを配置し、該建築板の一対を左右に接続した時、左側の建築板の最右列の切欠き平行四辺形凸ブロックと右側の建築板の最左列の切欠き平行四辺形凸ブロックとが合わさって、一つの平行四辺形凸ブロックが形成されるようにした請求項１〜３に記載の建築板
【請求項５】
該建築板表面には塗装が施され、該凸ブロックが他の部分とは色調が異なるようにされている請求項１〜４に記載の建築板
【発明の詳細な説明】
【０００１】
【発明の属する技術分野】
本発明は例えば建築物の外壁材として使用される建築板に関するものである。
【０００２】
【従来の技術】
この種の建築板としては板表面に縦横目地溝によって画定されている凸ブロックの複数個を縦横に配設したブロック調模様を形成したものが賞用されている。しかし単に凸ブロックの複数個を縦横目地溝を介して縦横に配設したのみでは立体感に乏しく面白味のない外観になる。
そこで該凸ブロックの上面を傾斜させたり（特開２０００−２１３１３８号公報）、該凸ブロックに高低を設けることによってブロック調模様に立体感を与えようとする試みがなされている。
【０００３】
【発明が解決しようとする課題】
この種の建築板としては木質補強材で補強したセメント板である木質セメント板が多用されており、該木質セメント板は木質補強材とセメントとを主体とする原料混合物を型板上に撒布して乾式マットをフォーミングし、該マットを圧締養生硬化せしめる乾式法、あるいは上記原料混合物を水に分散させたスラリーを抄造して湿式マットをフォーミングし、該マットを養生硬化せしめる湿式法によって製造され、上記ブロック調模様は乾式法にあっては乾式マットの圧締時に同時に行われるエンボス加工、湿式法にあっては湿式マットの養生硬化前に行われるエンボス加工によって形成される。しかし上記ブロック調模様の凸ブロック上面を傾斜させたり、凸ブロックに高低を設けた場合、低位部分の厚みも強度上ある程度確保しなければならないので、高低差を余りつけることが出来ず、立体感に富んだ意匠を与えるにも限界がある。また凸ブロック上面を傾斜させると低位側に雨水が流れて停滞し易く、雨水が停滞した部分において局所的な汚染や吸水が起り、板の寸法安定性や耐凍性に悪影響が及ぼされるし、また凸ブロックの高位側の角部が突出しているから欠損し易い。
【０００４】
更にこのようなブロック調模様は前記したようにエンボス加工によって形成されるが、低位側は高位側よりもエンボス加工時における圧縮率が高くなり、板の密度が不均一になるので経年変化による伸縮繰返しのため反りやねじれ、あるいは内部応力によるクラックが発生し易いと云う問題点もある。また製造時においては、低位部分が有れば有るほど高圧のプレスが必要になり、コスト高および生産スピードのダウンと云う問題点を有していた。
【０００５】
【課題を解決するための手段】
本発明は上記従来の課題を解決するための手段として、板表面に縦横目地溝（２Ｂ，３Ｂ）　によって画定されている凸ブロック（４）　の複数個を縦横に配設したブロック調模様を有する建築板（１）　において、該凸ブロック（４）　の全部または一部のもの（４Ａ）の一方の側辺に沿う縦目地溝（２Ａ）と上辺または下辺に沿う横目地溝（３Ａ）の巾を他方の側辺に沿う縦目地溝（２Ｂ）と下辺または上辺に沿う横目地溝（３Ｂ）の巾よりも広くした建築板（１）　を提供するものである。
該凸ブロック（４Ａ）は平行四辺形であることが望ましく、また該建築板（１）　の最上段の平行四辺形の凸ブロック（４Ａ’）　の配置と、最下段の平行四辺形の凸ブロック（４Ａ’）　の配置とが一致するように設定され、該建築板（１）　の一対を上下に接続した時、上側の建築板（１）　の最下段の平行四辺形凸ブロック（４Ａ’）　と下側の建築板の最上段の平行四辺形凸ブロック（４Ａ’）　とが合わさって、一つの平行四辺形凸ブロック（４Ａ）が形成されるようにすることが望ましい。
更に該建築板（１）　の最右列の所定箇所には右部分切欠き平行四辺形凸ブロック（４Ａ”）　を配置し、最左列にはそれに対応した位置に左部分切欠き平行四辺形凸ブロック（４Ａ”）　を配置し、該建築板（１）　の一対を左右に接続した時、左側の建築板（１）　の最右列の切欠き平行四辺形凸ブロック（４Ａ”）　と右側の建築板（１）　の最左列の切欠き平行四辺形凸ブロック（４Ａ”）　とが合わさって、一つの平行四辺形凸ブロック（４Ａ）が形成されるようにすることが望ましい。
更にまた該建築板（１）　表面には塗装が施されてもよいが、この場合該凸ブロック（４Ａ）と他の部分とは色調が異なるようにされていることが望ましい。
【０００６】
【作用】
凸ブロック（４Ａ）の左辺に沿う縦目地溝（２Ａ）と上辺または下辺に沿う横目地溝（３Ａ）の巾を右辺に沿う縦目地溝（２Ｂ）と下辺または上辺に沿う横目地溝（３Ｂ）の巾よりも広くした場合、該凸ブロック（４Ａ）を斜め左方から見ると浮き上って見え、斜め右方から見ると沈み込んで見える。凸ブロック（４Ａ）の右辺に沿う縦目地溝（２Ａ）と上辺または下辺に沿う横目地溝（３Ａ）の巾を左辺に沿う縦目地溝（２Ｂ）と下辺または上辺に沿う横目地溝（３Ｂ）の巾よりも広くした場合、該凸ブロック（４Ａ）を斜め右方から見ると浮き上って見え、斜め左方から見ると沈み込んで見える。
特に該凸ブロック（４Ａ）が平行四辺形の場合には浮き上りあるいは沈み込みが大きく見える。
【０００７】
また該建築板（１）　の最上段の平行四辺形の凸ブロック（４Ａ’）　の配置と、最下段の平行四辺形の凸ブロック（４Ａ’）　の配置とが一致するように設定すると、該建築板（１）　の一対を上下に接続した時、上側の建築板（１）　の最下段の平行四辺形凸ブロック（４Ａ’）　と下側の建築板の最上段の平行四辺形凸ブロック（４Ａ’）　とが合わさって、一つの平行四辺形凸ブロック（４Ａ）が形成されるようにすると、より大型で多様な平行四辺形凸ブロック（４Ａ）を形成することが出来、立体感が強調されると共に上下の板の継目が目立たなくなり、継目における違和感が解消される。
【０００８】
また該建築板（１）　の最右列の所定箇所に右部分切欠き平行四辺形凸ブロック（４Ａ”）　を配置し、最左列にはそれに対応した位置に左部分切欠き平行四辺形凸ブロック（４Ａ”）　を配置し、該建築板（１）　の一対を左右に接続した時も同様により大型で多様な平行四辺形凸ブロック（４Ａ）を形成することが出来、立体感が強調されると共に上下の板の継目が目立たなくなり、継目における違和感が解消される。
また更に該建築板（１）　表面に塗装が施された場合、該凸ブロック（４Ａ）と他の部分とは色調が異なるようにされていると、該凸ブロック（４Ａ）の立体感が一層強調される。
【０００９】
【発明の実施の形態】
以下、本発明を詳細に説明する。
本発明を図１〜図６に示す一実施例によって説明すれば、図に示す建築板（１）　は横長の木質セメント板からなり、表面にはエンボス加工によって縦横目地溝（２Ｂ，３Ｂ）　によって画定されている凸ブロック（４）　の複数個を縦横に配設したブロック調模様Ｂが付されている。
【００１０】
該建築板（１）　にあっては図２に示すように上下端部に下実（５）　と上実（６）　とが形成され、上下一対の建築板（１，１）　は該下実（５）　と上実（６）　とを重ね合わせることによって接続されるが、図１に示すようにこの接続部（３１）は横目地溝状となり、また左右一対の建築板（１，１）　は側端縁が突合わされてこの接続部（２１）は縦目地溝状となる。
【００１１】
上記建築板（１）　の凸ブロック（４）　のうちのいくつかのもの（４Ａ）は左傾斜平行四辺形凸ブロックにされ、該平行四辺形凸ブロック（４Ａ）の左辺の縦目地溝（２Ａ）と下辺の横目地溝（３Ａ）とが巾広にされ、右辺の縦目地溝（２Ｂ）と上辺の横目地溝（３Ｂ）とが巾狭にされる。また建築板（１）　の最上段の平行四辺形凸ブロック（４Ａ’）　の配置と最下段の平行四辺形凸ブロック（４Ａ’）　の配置とを一致するように設定すると、該建築板（１）　の一対を上下に接続した時、図３に示すように上側の建築板（１）　の最下段の平行四辺形凸ブロック（４Ａ’）　と下側の建築板（１）　の最上段の平行四辺形凸ブロック（４Ａ’）　とが合わさって一つの平行四辺形凸ブロック（４Ａ）が形成されるようにする。
【００１２】
更に図１および図４に示すように、建築板（１）　の最右列の所定箇所には右部分切欠き平行四辺形凸ブロック（４Ａ”）　の一個または複数個を配置し、最左列にはそれに対応した位置に左部分切欠き平行四辺形凸ブロック（４Ａ”）　の一個または複数個を配置し、該建築板（１）　の一対を左右に接続した時、左側の建築板（１）　の最右列の切欠き平行四辺形凸ブロック（４Ａ”）　と右側の建築板（１）　の最左列の切欠き平行四辺形凸ブロック（４Ａ”）　とが合わさって一つの平行四辺形凸ブロック（４Ａ）が形成されるようにする。
【００１３】
このような凸ブロック（４Ａ）にあっては、左辺と下辺の目地溝（２Ａ，３Ａ）　が巾広になっているので、特に斜め左側から見ると該凸ブロック（４Ａ）が浮上って見え、また斜め右側から見ると該凸ブロック（４Ａ）が沈み込んで見え、板表面は平面的であっても立体感が強調された外観になる。
【００１４】
該建築板（１）　表面には塗装が施されてもよい。塗装はインクジェット方式、スプレー方式、ゴムロール方式、ワイピング方式等の公知の方式を適用して行われる。この場合、該凸ブロック（４Ａ）と他の部分とは色調が異なるようにされていると、該凸ブロック（４Ａ）部分が他の部分から目立つようになり、該凸ブロック（４Ａ）の立体感が更に強調される。
特に、上記したように凸ブロック（４Ａ’，４Ａ”）　が該建築板（１）　の上下あるいは左右に一致して形成されている場合は、該建築板（１）　を張設した時一つの凸ブロック（４Ａ）となるばかりでなく、該凸ブロック（４Ａ）が他の部分と色調が異なるようにされていると、該凸ブロック（４Ａ）の立体感が一層強調され、継目の違和感もなくなる。
【００１５】
上記建築板（１）　にあっては、更に縦目地溝（２Ｂ）のうちの一部のもの（２Ｃ）は、図５に示すように縦一段または縦複数段の凸ブロック（４Ｂ）を一つのユニットＵとし、該ユニットＵの左右両側に連続させ、該縦目地溝（２Ｃ）の巾を下方または上方に向かって漸増せしめる。そして該ユニットＵを構成する縦一段または縦複数段の凸ブロック（４Ｂ）の左右辺（４１，４１）　を同方向に傾斜させることによって各凸ブロック（４Ｂ）の角部（４２）を左右の縦目地溝（２Ｃ，２Ｃ）　内に突出せしめる。
【００１６】
図５に示すユニットＵは細い（巾狭）の横目地溝（３Ｂ）を介して縦三段に配列されている凸ブロック（４Ｂ，４Ｂ，４Ｂ）の左右辺（４１，４１）　をそれぞれ左傾せしめてそれぞれ平行四辺形とし、上段および中段の凸ブロック（４Ｂ，４Ｂ）　の下右角部（４２，４２）　および中段および下段の凸ブロック（４Ｂ，４Ｂ）　の上左角部（４２，４２）　を左右の縦目地溝（２Ｃ，２Ｃ）　内に突出せしめ、更に中段および下段の凸ブロック（４Ｂ，４Ｂ）　の上左角部（４２，４２）　から上側の凸ブロック（４Ｂ，４Ｂ）　の左辺（４１，４１）　に沿って若干の延長部（４２Ａ，４２Ａ）　を設ける。上記巾狭の横目地溝（３Ｂ）の巾は左右の縦目地溝（２Ｃ，２Ｃ）　の最大巾以下に設定することが望ましい。
【００１７】
また図６に示すユニットＵは巾狭の横目地溝（３Ｂ）を介して縦二段に配列されている凸ブロック（４Ｂ，４Ｂ）　の左右辺（４１，４１）　をそれぞれ右傾せしめてそれぞれ平行四辺形とし、上段の凸ブロック（４Ｂ）の下左角部（４２）および下段の凸ブロック（４Ｂ）の上右角部（４２）を左右の縦目地溝（２Ｃ，２Ｃ）　内に突出せしめ、更に下段の凸ブロック（４Ｂ）の上右角部（４２）から上段の凸ブロック（４Ｂ）の右辺（４１）に沿って若干の延長部（４２Ａ）　を設ける。本実施例の延長部（４２Ａ）　は先端角形状のものを示したが、これに限らず先端尖り形状の延長部であってもよい。
【００１８】
図５に示すユニットＵにあっては、中段および下段の凸ブロック（４Ｂ，４Ｂ）　の上左角部（４２，４２）　が左側の縦目地溝（２Ｃ）内に突出せしめられ、更に下右角部（４２，４２）　が右側の縦目地溝（２Ｃ）内に突出せしめられ、更に縦方向には各凸ブロック（４Ｂ，４Ｂ，４Ｂ）は巾狭の横目地溝（３Ｂ，３Ｂ）　を介して配列されているので、特に斜め左方から見ると上段の凸ブロック（４Ｂ）の下辺部と中段の凸ブロック（４Ｂ）の上辺部および中段の凸ブロック（４Ｂ）の下辺部と下段の凸ブロック（４Ｂ）の上辺部とが点線に示すように重なった感じになり、特に中段と下段の凸ブロック（４Ｂ，４Ｂ）　の左上角部（４２，４２）　からの延長部（４２Ａ，４２Ａ）　によってこの重なり感が強調され、その結果立体感の強調されたよろい張り調の外観を呈する。
【００１９】
図６に示すユニットＵにあっては、上段の凸ブロック（４Ｂ）の下左角部（４２）が左側の縦目地溝（２Ｃ）内に突出せしめられ、更に下段の凸ブロック（４Ｂ）の上右角部（４２）が右側の縦目地溝（２Ｃ）内に突出せしめられ、更に縦方向には各凸ブロック（４Ｂ，４Ｂ）　は巾狭の横目地溝（３Ｂ）を介して配列されているので、特に斜め右方から見ると上段の凸ブロック（４Ｂ）の下辺部と下段の凸ブロック（４Ｂ）の上辺部とが点線に示すように重なった感じになり、特に下段の凸ブロック（４Ｂ）の上右角部（４２）からの延長部（４２Ａ）　によってこの重なり感が強調され、その結果立体感の強調されたよろい張り調の外観を呈する。
【００２０】
このようなよろい張り調の外観を呈するユニットＵを有する建築板（１）　の最上段と最下段との凸ブロック（４）　の配列を一致させる。そうすると図１に示すように上下の建築板（１，１）　の接続部分において図６に示すユニットＵが重なって四段の凸ブロック（４Ｂ，４Ｂ，４Ｂ，４Ｂ）　からなるよろい張り調のユニットＵが構成される。
【００２１】
本発明では上記実施例以外例えば図７に示すように凸ブロック（４Ａ）の左辺に沿う縦目地溝（２Ａ）と上辺に沿う横目地溝（３Ａ）とを巾広とし、右辺に沿う縦目地溝（２Ｂ）と下辺に沿う横目地溝（３Ｂ）とを巾狭にしてもよく、また図８に示すように該凸ブロック（４Ａ）の右辺に沿う縦目地溝（２Ａ）と上辺に沿う横目地溝（３Ａ）とを巾広とし、左辺に沿う縦目地溝（２Ｂ）と下辺に沿う横目地溝（３Ｂ）とを巾狭にしてもよい。また更に図９に示すように右辺に沿う縦目地溝（２Ａ）と下辺に沿う横目地溝（３Ａ）とを巾広とし、左辺に沿う縦目地溝（２Ｂ）と上辺に沿う横目地溝（３Ｂ）とを巾狭としてもよい。図７に示す凸ブロック（４Ａ）の場合は、斜め左方から見ると浮き上って見え、斜め右方から見ると沈み込んで見え、図８および図９に示す凸ブロック（４Ａ）の場合は、斜め右方から見ると浮き上って見え、斜め左方から見ると沈み込んで見える。
【００２２】
更に本発明では図１０に示すように凸ブロック（４Ａ）を右傾斜平行四辺形としてもよい。図１０の場合は左辺に沿う縦目地溝（２Ａ）と下辺に沿う横目地溝（３Ａ）とを巾広とし、右辺に沿う縦目地溝（２Ｂ）と上辺に沿う横目地溝（３Ｂ）とを巾狭としたが、その他左辺に沿う縦目地溝と上辺に沿う横目地溝（２Ａ，３Ａ）　とを巾広とし、右辺に沿う縦目地溝と下辺に沿う横目地溝（２Ｂ，３Ｂ）　とを巾狭としてもよく、また更に右辺に沿う縦目地溝と上辺に沿う横目地溝（２Ａ，３Ａ）　とを巾広とし、左辺に沿う縦目地溝と下辺に沿う横目地溝（２Ｂ，３Ｂ）　とを巾狭としてもよい。
【００２３】
【発明の効果】
本発明では板表面の凸ブロック上面を傾斜させたり、高低を設けることなく、実質的に平坦のまゝで、板全体の密度を略一定にしかつ水溜り低位部等も形成することなしに、見る方向により凸ブロックが浮き沈みして見え、極めて効果的に表面の凸ブロックの立体感を与えることができる。また高圧プレスする必要がないので建築板の生産コストが低くなる。
【図面の簡単な説明】
図１〜図６は本発明の一実施例を示すものである。
【図１】四枚の建築板の接続部付近における部分平面図
【図２】図１におけるＡ−Ａ’　断面図
【図３】上下建築板の接続状態を示す平面図
【図４】左右の建築板の接続状態を示す平面図
【図５】三段凸ブロックユニットの拡大平面図
【図６】二段凸ブロックユニットの拡大平面図
【図７】他の実施例の凸ブロックの拡大平面図
【図８】更に他の実施例の凸ブロックの拡大平面図
【図９】更に他の実施例の凸ブロックの拡大平面図
【図１０】更に他の実施例の凸ブロックの拡大平面図
【符号の説明】
１　　　　　　建築板
２Ａ，２Ｂ　　　　　縦目地溝
３Ａ，３Ｂ　　　　横目地溝
４　　　　　　　　　凸ブロック
４Ａ　　　　　　　　　　縦横二辺に沿う溝巾を広くした凸ブロック
４Ａ’　　　　　最上段または最下段の平行四辺形凸ブロック
４Ａ”　　　　　部分切欠き平行四辺形凸ブロック
【図１】
2004052261.tif 000003
【図２】
2004052261.tif 000004
【図３】
2004052261.tif 000005
【図４】
2004052261.tif 000006
【図５】
2004052261.tif 000007
【図６】
2004052261.tif 000008
【図７】
2004052261.tif 000009
【図８】
2004052261.tif 000010
【図９】
2004052261.tif 000011
【図１０】
2004052261.tif 000012